(57)【要約】【課題】生体情報を安定して高精度に測定することが可能な生体情報測定装置を提供する。【解決手段】生体情報測定装置は、光源と、前記光源からの光束を生体の一部である測定対象へ向けて導光し、前記測定対象からの反射光を導光する導光部と、導光部により導光された反射光を、所定の波長域において所定の分解能で分光する分光部と、分光部により得られた複数の波長の光のうちの少なくとも一つの波長について光強度を検出する検出部と、検出部により検出された波長の光強度のうち、一部の所定波長の光強度を逐次的に取得する取得部と、を備える。【選択図】  図１
2019170538.tif 000002
【特許請求の範囲】
【請求項１】
光源と、
前記光源からの光束を生体の一部である測定対象へ向けて導光し、前記測定対象からの反射光を導光する導光手段と、
前記導光手段により導光された反射光を、所定の波長域において所定の分解能で分光する分光手段と、
前記分光手段により得られた複数の波長の光のうちの少なくとも一つの波長について光強度を検出する検出手段と、
前記検出手段により検出された波長の光強度のうち、一部の所定波長の光強度を逐次的に取得する取得手段と、を備えることを特徴とする生体情報測定装置。
【請求項２】
前記検出手段は、前記複数の波長の光強度をそれぞれ検出する複数の受光素子を有し、前記複数の受光素子から得られた光強度を示す情報をメモリ部へ記憶し、
前記取得手段は、前記メモリ部から前記所定波長の光強度を逐次的に読み出すことを特徴とする請求項１に記載の生体情報測定装置。
【請求項３】
前記取得手段は、前記メモリ部から複数の所定波長の光強度を取得することを特徴とする請求項２に記載の生体情報測定装置。
【請求項４】
前記導光手段は、前記光束を前記測定対象へ向けて導光する照明部と、前記反射光を集光導光する集光部が一体化された導光部材を有することを特徴とする請求項１乃至３のいずれか１項に記載の生体情報測定装置。
【請求項５】
前記分光手段は、前記導光部材により集光導光された反射光を分光する回折格子を有することを特徴とする請求項４に記載の生体情報測定装置。
【請求項６】
前記検出手段は、前記回折格子によって分光された光束の光強度を波長ごとに検出するために、直列に配置された複数の受光素子を備えることを特徴とする請求項５に記載の生体情報測定装置。
【請求項７】
前記回折格子は凹面回折格子であることを特徴とする請求項５または６に記載の生体情報測定装置。
【請求項８】
前記光源と、前記導光手段と、前記検出手段がケース部材により一体化されていることを特徴とする請求項１乃至７のいずれか１項に記載の生体情報測定装置。
【請求項９】
外部装置から波長の選択の指示を受け付ける受付手段を備え、
前記取得手段は、前記受付手段が受け付けた指示により選択される波長の光強度を逐次的に取得することを特徴とする請求項１乃至８のいずれか１項に記載の生体情報測定装置。
【請求項１０】
前記光源は白色光源であることを特徴とする請求項１乃至９のいずれか１項に記載の生体情報測定装置。
【請求項１１】
前記光源と前記検出手段が同一基板上に配置されていることを特徴とする請求項１乃至１０のいずれか１項に記載の生体情報測定装置。
【請求項１２】
前記所定の波長域は、可視光域から近赤外光域を含むことを特徴とする請求項１乃至１１のいずれか１項に記載の生体情報測定装置。
【請求項１３】
前記所定の波長域は、可視光域であることを特徴とする請求項１乃至１１のいずれか１項に記載の生体情報測定装置。
【請求項１４】
生体情報測定装置による生体情報測定方法であって、
光源からの光束を生体の一部である測定対象へ向けて導光し、
前記測定対象からの反射光を分光部へ導光することにより、前記反射光を、所定の波長域において所定の分解能で分光し、
前記分光部による前記分光により得られた複数の波長の光のうちの少なくとも一つの波長について光強度を検出し、
前記検出された波長の光強度のうち、一部の所定波長の光強度を逐次的に取得すること、を備えることを特徴とする生体情報測定方法。
【請求項１５】
光源と、
前記光源からの光束を生体の一部である測定対象へ向けて導光し、前記測定対象からの反射光を導光する導光手段と、
前記導光手段により導光された反射光を、所定の波長域において所定の分解能で分光する分光手段と、
前記分光手段により得られた複数の波長の光のうち、一部の所定波長について光強度を検出する検出手段と、
前記検出手段により検出された波長の光強度を逐次的に取得する取得手段と、を備えることを特徴とする生体情報測定装置。
【請求項１６】
生体情報測定装置による生体情報測定方法であって、
光源からの光束を生体の一部である測定対象へ向けて導光し、
前記測定対象からの反射光を分光部へ導光することにより、前記反射光を、所定の波長域において所定の分解能で分光し、
前記分光部による前記分光により得られた複数の波長の光のうち、一部の所定波長について光強度を検出し、
前記検出された波長の光強度を逐次的に取得すること、を備えることを特徴とする生体情報測定方法。
【発明の詳細な説明】
【技術分野】
【０００１】
本発明は、生体に光を照射しその反射光もしくは透過光の時間的な光量変動を検知することにより生体情報を測定する生体情報測定装置に関する。
【背景技術】
【０００２】
近年、人体の一部に特定の波長を有する光を照射し、生体内の血管中を移動する血液からの反射光量もしくは透過光量を、受光センサを用いて検出することにより、血液の移動に伴う血液脈波（以下、脈波）を検出するバイタルセンサが市販されている。脈波は脈拍数の測定に用いられる。また、脈波を２階微分することにより得られた加速度脈波を用いて、血管内壁部の老化もしくは蓄積物による血管の硬化度合を取得し、これを血管老化度もしくは血管年齢として提示することが提案されている。
【０００３】
一般に、この種の測定装置は、所定の波長を有するＬＥＤによる光源を用いて測定対象に光を照射し、その測定対象からの反射もしくは透過光量を受光センサにて検知し、その出力の時間的な変動量を測定する。具体的には、緑もしくは赤色波長を有するＬＥＤ光源を用いて、指先や手首、耳朶等の対象部へ光を照射し、対象部からの反射もしくは透過してくる光量の変動により、血管中の血液の時間的な移動状態、すなわち脈動（脈波）を検知する。特許文献１には、指尖部に対して光源から出射された光束を照射しその反射光を光電変換受光センサにて受光し、その受光光量の時間的な変動を測定評価する脈波測定装置が記載されている。
【先行技術文献】
【特許文献】
【０００４】
【特許文献１】特開２００４−０００４６７号公報
【発明の概要】
【発明が解決しようとする課題】
【０００５】
しかしながら、上記光源として用いられているＬＥＤから発光される光は、所定の波長の光が支配的ではあるものの、他の波長の光も含まれており、これが不要な波長成分の光によるノイズの原因となる。また、対象部からの反射もしくは透過光に交じって、外部からの光線が受光センサ部に入光することにより、受光信号に対して不要な波長成分をノイズとして与えてしまうことがあった。
【０００６】
本発明は以上のような状況に鑑みたものであり、生体情報を安定して高精度に測定することが可能な生体情報測定装置を提供することである。
【課題を解決するための手段】
【０００７】
本発明の一態様による生体情報測定装置は以下の構成を備える。すなわち、
光源と、
前記光源からの光束を生体の一部である測定対象へ向けて導光し、前記測定対象からの反射光を導光する導光手段と、
前記導光手段により導光された反射光を、所定の波長域において所定の分解能で分光する分光手段と、
前記分光手段により得られた複数の波長の光のうちの少なくとも一つの波長について光強度を検出する検出手段と、
前記検出手段により検出された波長の光強度のうち、一部の所定波長の光強度を逐次的に取得する取得手段と、を備える。
【発明の効果】
【０００８】
本発明によれば、生体情報を安定して高精度に測定することができる。
【図面の簡単な説明】
【０００９】
【図１】第１実施形態に係る脈波測定装置の外観斜視図。
【図２】分光計の構造を説明する図。
【図３】分光計の光路を説明する斜視図。
【図４】（ａ）は分光計の光学系を説明する上面図、（ｂ）は分光計の光学系を説明する斜視図。
【図５】（ａ）はヘモグロビンの吸光特性図、（ｂ）は全波長での出力振幅の測定結果の例を示す図、（ｃ）は特定波長における光強度の出力（脈波）を示す図。
【図６】第１実施系他の脈波測定装置の制御構成を説明する図。
【図７】（ａ）は加速度脈波を説明する図、（ｂ）〜（ｄ）は加速度脈波から血管年齢を推定する方法を説明する図。
【図８】第３実施形態による腕巻き型の脈波測定装置を示す図。
【発明を実施するための形態】
【００１０】
以下、添付の図面を参照して、本発明の実施形態について説明する。
【００１１】
＜第１実施形態＞
図１は第１実施形態による生体情報測定装置としての脈波測定装置１の外観斜視図である。脈波測定装置１は、分光計を収納するハウジング５を有する。ハウジング５の上面は、測定対象を載置する面である。ハウジング５の上面には、上面に載置された測定対象とハウジング５の内部の分光計との間の光の往来を可能とする開口部１５と、開口部１５を覆う透明な材質からなる透明カバー４が設けられている。また、開口部１５および透明カバー４の上部には、シャッタ部材２と、測定対象をガイドするガイド部材３とが設けられている。なお、図１（ａ）は、シャッタ部材２が開口部１５を覆った状態、図１（ｂ）は、シャッタ部材２が退避し、開口部１５が開放され、測定対象である指６が開口部１５を覆った状態、図１（ｃ）は、図１（ｂ）の状態において、指の図示を省略した図である。
【００１２】
本実施形態において、シャッタ部材２とガイド部材３は接続されている、または、一体で構成されている。ガイド部材３は、ガイド形状部分３１と指受け形状部分３２とを有する。ガイド形状部分３１とハウジング５に設けられたガイドレール部１６によって、ガイド部材３及びシャッタ部材２は図１中に示すＸ方向にスライド移動が可能となっている。ガイドレール部１６の両端部は、ストッパ部１８ａ、ストッパ部１８ｂとして機能し、ガイド形状部分３１がストッパ部１８ａに突き当たる位置と、ストッパ部１８ｂに突き当たる位置との、２つの位置を規定する。ガイド部材３が指６により移動することにより、シャッタ部材２は、ハウジング５の開口部１５の対向位置で開口部１５を覆う第１の位置（図１（ａ）と、開口部１５の対向位置から退避した第２の位置（図１（ｃ））との間を移動可能となる。
【００１３】
脈波測定装置１のハウジング５内に収納、配置された分光計１０の外観を図２（ａ）に示す。分光計１０は、カバー部材１１とケース部材１３により外殻が形成される。電気基板１２は、ラインセンサ１０４からの信号を増幅、Ａ／Ｄ変換して波長ごとの出力信号（デジタル信号）を取得するための回路等を有する。分光計１０のカバー部材１１および電気基板１２を外した状態を図２（ｂ）に示す。ケース部材１３から光学系および受光センサを上部に分割抽出した構成を図２（ｃ）に示す。
【００１４】
分光計１０の光学系は、測定対象を照射するための光源である白色ＬＥＤ１０１、ライトガイド１０２、回折格子１０３、ラインセンサ１０４を有する。ライトガイド１０２は、白色光源としての白色ＬＥＤ１０１からの光束を測定対象へ向けて導光する照明部と、測定対象からの反射光を集光導光する集光部とが一体化された導光部材である。白色ＬＥＤ１０１からの光は、ライトガイド１０２の照明部により開口部１５へ導かれ、開口部１５を通じて測定対象（本例では指６）に照射される。測定対象からの反射光は、ライトガイド１０２の導光部により集光導光されて、所定の波長域において所定の分解能で分光する分光部である回折格子１０３に導かれる。反射光は、分光部としての回折格子１０３により複数の波長に分光され、受光部としてのラインセンサ１０４は、分光された光を受光する。ラインセンサ１０４には、複数の波長に分解された光を受光する受光素子が直列に配置されている。分光計１０は、白色ＬＥＤ１０１、ライトガイド１０２、回折格子１０３、ラインセンサ１０４を一体に構成し、小型化を実現している。
【００１５】
図３は、分光計１０における光学系の構成を抽出し、白色ＬＥＤ１０１から出射された光線の進行状態をＲ１〜Ｒ５の矢印で示した図である。また、図４（ａ）に反射光の分光状態を示す光学系の上面図、図４（ｂ）に反射光の分光状態を示す光学系の斜視図を示す。
【００１６】
分光計１０の電気基板１２に設置された白色ＬＥＤ１０１から出射された光束Ｒ１が、樹脂成型されたライトガイド１０２の曲面部で反射し、上面に照射光Ｒ２として出射する。照射光Ｒ２は、開口部１５および透明カバー４を通過して、透明カバー４に載置されている生体の測定対象（本実施形態では指６）の腹部を照射する。その照射部位からの反射光Ｒ３は、樹脂成型されたライトガイド１０２の入射部１０６に入射される。
【００１７】
入射部１０６に入射した反射光は、ライトガイド１０２により集光導光され、微小幅のスリット部１０５を介して回折格子１０３に光束Ｒ４として照射される。スリット部１０５は、ケース部材１３に収納、固定されている。回折格子１０３は樹脂で製作され、回折格子が凹面上に形成された凹面反射型の回折格子（凹面回折格子）である。回折格子１０３は、例えば、回折格子表面にアルミニウム等の反射膜とSiO2等の増反射膜を蒸着して作成される。このような回折格子１０３によって分光された光束Ｒ５が、電気基板１２上に設置されたラインセンサ１０４に照射される。本実施形態では、光源（白色ＬＥＤ１０１）と受光部（ラインセンサ１０４）が電気基板１２、すなわち同一基板上に配置されている。
【００１８】
上述のように、ラインセンサ１０４は、光電変換を実現する複数の受光素子がライン状に（直列に）配置された構成を有する。複数の受光素子上に分光された光がそれぞれ照射されることにより、それぞれの波長における光強度を測定することができる。例えば、波長分解能を５ｎｍ、ラインセンサ１０４に１００個の受光素子が直列に配置されているとすると、ラインセンサ１０４は５００ｎｍ程度の波長域をとらえることができる。分光する最短波長部を例えば４００ｎｍと設定すれば、波長域は、４００〜９００ｎｍの可視光域から近赤外光域をカバーする範囲であり、センサ感度と合わせて光測定に必要な波長帯域をほぼ確保できる。本実施形態では、回折格子１０３、ラインセンサ１０４、スリット部１０５の配置を、図４（ａ）の二点鎖線で示す、いわゆるローランド円の円周上に配置することで、測定対象からの反射光を所定の光の波長に分光する小型な分光計を実現している。
【００１９】
分光計１０から出射される光束を指尖部に照射した場合、血液中の酸化ヘモグロビンと還元ヘモグロビンの吸光特性の差によって血液の脈動を測定できることが一般的に知られている。図５（ａ）は、酸化ヘモグロビン（ＨｂＯ２）と還元ヘモグロビン（Ｈｂ）の吸光特性を示す図である。図５（ａ）において、横軸が光の波長、縦軸が吸光量である。
【００２０】
図５（ｂ）は、白色ＬＥＤ１０１を指尖部に照射することにより、４００〜７００ｎｍの可視光域における各波長について分光計１０により測定された脈波の振幅を示す図である。横軸が波長、縦軸が平均化した各波長の振幅量を示す。図５（ｂ）の測定結果は、次の条件で行われたものである。すなわち、ラインセンサ１０４は回折格子１０３により分光された光束のうち上述の可視光域（４００〜７００ｎｍ）を分光帯域とし、可視光域全体の波長域を数ｎｍ単位の分解能で光強度を測定する。なお、１回の光強度の測定結果には、所定回数にわたり光強度を取得し、それらを平均した値が用いられる。１回１回の信号には多少のばらつきが含まれるためである。以下、この平均値を測定された光強度とする。全波長域での反射光から数十ｍｓおきの光強度をラインセンサ１０４により約１分間にわたり測定し、得られた約１分間分のデータから、各波長の光強度の変動（脈波）の振幅（peak to peak）を取得する。更に、別途実施した白基準の測定データから脈波の振幅を正規化する。図５（ｂ）では、以上の処理を複数回実施して得られた複数の正規化された振幅値を平均化したデータを示している。
【００２１】
一般的には、緑色等の単色のＬＥＤ等を光源に使用し、その反射光量を測定している。この場合、波長は５５０ｎｍ前後である。図５（ｂ）からわかるように、５５０ｎｍ前後においても比較的大きな振幅が得られるが、可視光域の中でも吸光度が大きい５７０〜５９０ｎｍの波長範囲で最も大きい振幅が得られることがわかる。そこで、本実施形態では、最も振幅が大きい５９０ｎｍの波長の光強度を逐次的に抽出することにより、脈波を得る。図５（ｃ）は、５９０ｎｍの波長の光強度をおよそ１３秒にわたって測定した結果を示す。横軸に時間（秒）縦軸に受光光量の強度（光強度）を示す。この波形がいわゆる血管中の血液の移動に伴う脈波を示している。
【００２２】
図６は、脈波測定装置１における制御構成の一例を示すブロック図である。上述したように、白色ＬＥＤ１０１からの光束はライトガイド１０２を経て、透明カバー４（開口部１５）からハウジング５の外部の測定対象に照射される。本実施形態では、脈波測定装置１の測定位置（透明カバー４の位置）に配置された指６の指先の腹部に白色ＬＥＤ１０１からの光が照射される。測定対象からの反射光は透明カバー４を経てハウジング５の内部へ入り、ライトガイド１０２により回折格子１０３へ導かれる。回折格子１０３は反射光を複数の波長（λ１〜λｎ）に分光してラインセンサ１０４を照射する。
【００２３】
ラインセンサ１０４は、回折格子１０３からの複数の波長の光強度を電気信号に変換するための複数の受光素子６０１を有する。複数の受光素子６０１は、分光された全波長の光強度を示す電気信号を出力する。信号処理部１２１は、複数の受光素子６０１から出力される電気信号を増幅、Ａ／Ｄ変換し、光強度の情報（デジタルの測定値）としてメモリ部１２２に転送する。メモリ部１２２は、信号処理部１２１から出力された光強度を一時的に保持する。こうして、ラインセンサ１０４により得られた各波長の光強度が逐次にメモリ部１２２に記憶される。
【００２４】
読み取り部１２３は、メモリ部１２２に保持されている全波長の光強度のうち、所定波長（本例では５９０ｎｍ）の光強度を逐次的に読み出し、送受信部１２４に送る。送受信部１２４は、所定波長の光強度を逐次に送受信Ｉ／Ｆ１３０を介して外部装置２００へ送る。送受信Ｉ／Ｆ１３０は有線でも無線でも構わない。こうして、特定の波長の時間的な変動データをＰＣ等の外部装置２００の画面上に読み出し表示することにより、特定の波長の脈波データを確認することができる。制御部１２０は、プロセッサとメモリを含み、外部装置２００との通信および上述した各部の制御を司る。
【００２５】
なお、メモリ部１２２の各波長の光強度は、信号処理部１２１からの時系列的な次データによりオーバーライトされる。また、上述したようにラインセンサ１０４からの複数の出力値を平均することにより１回の光強度の測定値とするのが実用的である。したがって、信号処理部１２１は、ラインセンサ１０４の受光素子からの複数の信号を加算、平均する処理を行う構成を有している。
【００２６】
以上のような脈波測定装置１によれば、白色ＬＥＤ光源と分光計を用いた構成で、指尖部に光束を照射しその反射光から脈波を測定することが可能となる。以上のようにして取得された波形（脈波）を元に、単位時間当たりの波形ピーク数を検出すれば、脈拍数を検知することができる。また、単位時間当たりの脈拍数から消費運動量を推定することも可能である。
【００２７】
また、これらの脈波波形を形式的に２階微分すれば、いわゆる加速度脈波を得ることができる。単色のＬＥＤを用いた一般的な脈波測定により得られた脈波波形は、不要な波長の光強度を含み、２回微分するとその影響が顕著に表れてしまう。そのため、正確な加速度脈波を得ることができない。これに対して、本実施形態の脈波測定装置１によれば、分光計により必要な波長の光強度を得ることができるので、正確な加速度波形を得ることができる。
【００２８】
代表的な加速度脈波を図７（ａ）に示す。加速度脈波に示されるａ〜ｅの振幅値を利用して、血管の老化度を７段階程度に分別評価することができる事は周知の技術である。具体的には、例えば、ｂ／ａとｄ／ａを結んだ線分の傾きの値を元に凡その血管の老化度を推定することができる。事例を図７（ｂ）、（ｃ）、（ｄ）に示す。図中、ｂ値とｄ値を結んだ線分を２点鎖線で示す。加速度脈波の初期振幅値ａによって正規化されたｂ／ａ値とｄ／ａ値を結ぶ線分の傾きによって、血管の柔軟性が示すことができ、それらは凡そ人間の年齢にも相当するといわれている。なお、図では、ｂ値からｄ値への傾きを示すことによりｂ／ａ値とｄ／ａ値の傾きの傾向を示している。
【００２９】
２０代から３０代程度の年齢が若い人の柔軟性が高い血管で採られた加速度脈波の場合を図７（ｂ）に示す。ｂ値が大きくｄ値が比較的小さく線分の傾きは右肩上がりになっている。そして、一般的に年齢が上がるとともに血管の柔軟性が劣る、または硬化度が増すといわれており、それに従い線分の傾きは、図７（ｃ）、（ｄ）のように変化する。６０代の人の代表的な波形として図７（ｄ）に示すように右肩下がりの状態、ｂ値が小さくｄ値が大きくなっていくことが知られている。
【００３０】
また、受光ラインセンサ上での波長を選択的に選定しているので、外光等の不要な波長成分光を取込むことがないので外光によるノイズにも高い耐性を持つ。従って、本実施形態によれば、分光計の利用により高精度な脈波測定を実現する、小型で高性能な脈波測定装置が提供される。
【００３１】
特定の波長の光強度、すなわち、単一の波長の光強度を用いるのであれば、ラインセンサ１０４に代えて、回折格子１０３からで分光された光のうち特定の波長の光強度を検出するセンサが用いられてもよい。例えば、５９０ｎｍの波長の光強度を検出する位置に配置された受光素子を有し、受光素子により得られた光強度の情報をメモリ部１２２に保持するように構成すればよい。
【００３２】
また、制御部１２０が、外部装置２００から送受信部１２４により受信された波長の選択の指示に基づいて、選択された波長の光強度を読み出すように読み取り部１２３を制御するようにしてもよい。すなわち、送受信部１２４が外部装置２００からの波長の選択の指示を受け付ける受付部として機能し、制御部１２０は、受付部が受け付けた指示により選択される波長の光強度を逐次的に取得するように読み取り部１２３を制御する。このように構成すれば、外部装置２００からの指示により任意の波長の光強度を使用することができる。
【００３３】
さらに、読み取り部１２３がメモリ部１２２から複数の波長の光強度を読み出すようにしてもよい。分光計１０を用いた脈波測定装置１を用いた場合、測定対象に対する照射光は単一光源の光であるので、複数の波長を選択しても低ノイズの信号を得ることができる。複数の波長の光強度を測定する生体情報測定装置の例について、以下の第２実施形態により説明する。
【００３４】
＜第２実施形態＞
第２実施形態による生体情報測定装置としての脈波測定装置について説明する。第１実施形態では、生体情報として１つの波長の光強度を用いて脈波を測定する構成を説明した。第２実施形態では、複数の波長の光強度の変動を取得する。一般に、異なる複数の波長を用いる場合には、それぞれの波長に対応した複数の光源が配置されるため、波長ごとに光源の位置が異なってしまう。結果、測定対象に対して同一な箇所を照射するのが望ましいにもかかわらず、複数の光源が異なる位置に配置されるために照射位置が相互にずれてしまい、受光信号のノイズ要因となってしまう。また、複数の光源を同時に設置しようとした場合、照射対象部に対して光源の設置面積が過大となり装置の照射部ひいては装置全体が肥大化するという課題も発生する。
【００３５】
複数の波長の光を用いた生体情報の測定例として、血中酸素飽和濃度を測定するパルスオキシメータが存在する。パルスオキシメータでは、指先部等に複数の波長（赤および近赤外）の光を照射透過させてこれを受光センサで受光する。受光量に基づいて、酸化ヘモグロビンと還元ヘモグロビンの波長に対する異なる吸光比率を利用して血中酸素飽和濃度が算出される。具体的には、パルスオキシメータは、赤色光（波長６６０ｎｍ近傍）と近赤外光（９４０nm近傍）を指尖部や耳朶等に透過させて、その時の、光強度の変動を元に血中酸素飽和濃度（SpO2）を推定する。血液中に多く存在するヘモグロビンは酸化ヘモグロビンと還元ヘモグロビンである。赤色光を透過させた場合、酸化ヘモグロビンの吸光度より還元ヘモグロビンが大きく、近赤外光の場合は還元ヘモグロビンが酸化ヘモグロビンよりわずかに低い吸光特性を持つ。このことから、ヘモグロビンの赤色と近赤外光の吸光度の比率は、「酸化ヘモグロビン」と「酸化ヘモグロビン＋還元ヘモグロビン」の比率である酸素飽和度によって変化するといえる。
【００３６】
ここで、脈波による吸光度の変化分ΔＡは、Beer-Lambertの法則を適用することにより、脈波による透過光の強度変化分ΔＩと透過光強度Ｉとの比、ΔＩ／Ｉで表すことができる。この値は測定される脈波の変動成分ＡＣ成分と静脈血等の吸収等で示されるＤＣ成分の比、ＡＣ／ＤＣと言い換えることができる。
【００３７】
ここで、酸素飽和度の比率をＲとすれば、
Ｒ＝赤色光／近赤外光＝（AC660/DC660）／（AC940/DC940）    式（１）
ここで660および940は波長を示す
として表すことができる。さらに、このＲ値を赤色の波長（６６０ｎｍ）と近赤外光の波長（９４０ｎｍ）で、前もって得たＲ値とSpO2の校正曲線に当てはめることにより血中酸素飽和濃度SpO2を求めることができる。
【００３８】
以上では透過型を前提として説明したが、原理的には反射型であっても同様の測定が可能である。
【００３９】
実際の測定おいては、これらを構成する赤色や近赤外色のＬＥＤの波長が多少ずれていたりするので、校正曲線との間で誤差が生じたりする場合がある。また、測定部位の皮膚の厚さ、皮膚の色等により、ＬＥＤの発光光量や受光センサの感度補正等が必要になる。また、測定中に呼吸や体動等の影響における変動量が無視できない場合もある。これらの影響を排除する為に、例えば、特開２００５−０９５６０６では、５つの波長の光強度を測定することを提案している。５つの波長の光強度を測定する場合、複数の波長に対応した複数の光源を用いると、脈波測定装置が大型化してしまう懸念がある。
【００４０】
第２実施形態では、白色ＬＥＤの照射光の波長帯域を確保した上で、分光、検出される波長範囲を例えば６００ｎｍから１０００ｎｍ程度の範囲に設定する。読み取り部１２３は、複数の波長（赤と近赤外色であれば、６６０ｎｍと９４０ｎｍの波長）の光量値をメモリ部１２２から読み出し、送受信部１２４を介して外部装置２００へ送信する。外部装置２００は時間的な光量変動に基づいてパルスオキシメータの機能を実現することができる。
【００４１】
また、上述のように、５波長を設定することにより（例えば、６６０、７００、７３０、８０５、８７５ｎｍ）、呼吸や体動の影響を排除することができる。これらの複数の波長は、単一光源としての白色ＬＥＤによる対象部への照明によって実現されており、分光計１０のラインセンサ１０４に割り当てられた波長の中から選択することができる。すなわち、分光計１０を有する第２実施形態の生体情報測定装置１によれば、上記の５つの波長の光強度の測定を、読み取り部１２３が５つの波長の光強度情報をメモリ部１２２から読み出すように構成することで、容易に実現できる。従って、個別の照射波長毎に光源を設置する必要がなく、装置の大型化を回避できる。すなわち、小型で高精度のパルスオキシメータを提供することが可能である。
【００４２】
更に言えば、二波長パルスオキシメータでは、設定波長の６６０ｎｍでカルボキシヘモグロビンＣＯＨｂと酸化ヘモグロビンＨｂＯ２の吸光特性がほぼ一致している。その為、カルボキシヘモグロビンＣＯＨｂと酸化ヘモグロビンＨｂＯ２を区別して認識することはできず、いわゆる一酸化炭素中毒の状態での患者を誤認するおそれがある。また、敗血症において一酸化炭素濃度の上昇が伴うことが知られており、ＣＯ濃度をモニターすることが重要であるとされている。そこで、７種類以上の波長を選択することにより、さまざまなタイプのヘモグロビン（酸化ヘモグロビン、還元ヘモグロビン、カルボキシヘモグロビン、メトヘモグロビン）を識別でき、体動の影響を排除できる。この事例は、マシモ社によって紹介（Masimo Rainbow(r) SET パルス CO オキシメトリ）されている。
【００４３】
以上のような、７つの波長の光強度を同時に測定するような状態であっても、それらの波長がラインセンサ１０４の検出可能な波長域の中の波長であれば、読み取り部１２３はそれらの波長をメモリ部１２２から選択的に読み出すことができる。したがって、本実施形態によれば、体動の影響を排除しつつ、脈波、カルボキシヘモグロビン濃度、一酸化炭素濃度を検出することが可能な装置を提供することができる。
【００４４】
また、単一の光源を用いているので複数の光源を設置した場合のような照射位置のズレが生じることがなく、受光信号に対するノイズの低減が実現される。また、設定の光源波長の実質的なバラツキ等も同一光源を分光して得られる波長成分であることから、誤差を軽減させることが可能である。また、分光された複数の波長を任意に選択することができるので、測定対象に応じて最適な波長および波長の組み合わせを選択することができるので、各種のノイズ低減を実現することができる。
【００４５】
なお、上述した外部装置２００による演算を制御部１２０が行うようにしてもよい。また、そのような演算の結果を表示するための表示部を脈波測定装置１に設けてもよい。
【００４６】
＜第３実施形態＞
次に、第３実施形態による脈波測定装置ついて説明する。小型の分光計１０を採用することにより、机上で測定を行う脈波測定装置１以外に、例えば、装着型の脈波測定装置を提供すことも可能である。第３実施形態では、腕に装着する形態の脈波測定装置を説明する。
【００４７】
図８（ａ）に示すように、第３実施形態の生体情報測定装置としての脈波測定装置１ａは、本体部２０とそれを腕部に装着する為のバンド２１を有し、本体部２０の表面に測定結果等を表示するモニター部２２を備えている。図８（ｃ）、（ｄ）に本体正面図と側面図をそれぞれ示す。本体部２０の内部には破線で示したような分光計１０が設けられている。分光計１０は第１、第２実施形態で説明したような構成を有する。また、図８（ｂ）に本体部２０を背面から見た場合の装置の斜視図を示す。腕に密着する本体部２０の背面部位の一部に光照射用の開口部１５が設置されている。
【００４８】
腕部に装着した状態で、測定開始を脈波測定装置１ａに指示すると、脈波測定装置１ａは断続的に光を開口部１５から腕部表面に照射する。そして、脈波測定装置１ａは開口部１５を介してその反射光を装置内に取込み、分光計１０で分光し、所望の波長における光強度を検出、例えば脈波を評価することができる。
【００４９】
以上のように、第３実施形態によれば、腕に装着した状態での長時間の脈波測定や就寝時の脈波測定等が簡便に実現することができる。また、装着者自身にも測定検査の意識負担が軽減される。
【００５０】
以上説明したように、第１〜第３実施形態によれば、小型化された分光計１０を用いて生体情報測定装置を構成することにより、机上もしくは腕等に設置された状態で安定して脈波等を検知することができる生体情報測定措置が提供される。また、小型化の実現により、生体情報測定装置を机上に設置した際に場所の専有面積を小さくすることができる。さらに、被験者の手首等に設置可能に構成すれば、被験者が移動しながら生体情報を測定するなど、測定の自由度を高めることができる。
【００５１】
以上のように、上記各実施形態によれば、分光計を生体情報の検出に適用したことにより、安価な構成で脈波などの生体情報を安定して高精度に検知することが可能な、小型の生体情報測定装置を市場に提供することができる。
【符号の説明】
【００５２】
１、１ａ：脈波測定装置、１０：分光計、１１：カバー、１２：電気基板、１３：ハウジング、１５：開口部、２０：本体、２１：バンド、２２：表示部、１０１：白色ＬＥＤ、１０２：ライトガイド、１０３：回折格子、１０４：ラインセンサ
【図１】
2019170538.tif 000003
【図２】
2019170538.tif 000004
【図３】
2019170538.tif 000005
【図４】
2019170538.tif 000006
【図５】
2019170538.tif 000007
【図６】
2019170538.tif 000008
【図７】
2019170538.tif 000009
【図８】
2019170538.tif 000010